(57)【要約】【課題】ＰＯＮシステムの負荷増加を防ぐ。【解決手段】ＰＯＮシステムは、ＯＬＴ１４と複数のＯＮＵとの間で光信号を送受信する。ＯＮＵは、ＯＬＴ１４と光信号を送受信するＯＮＵ光送受信部と、ＯＮＵ光送受信部の送信光レベルおよび受信光レベルを取得する光レベル取得部と、光レベル取得部で取得された送信光レベルおよび受信光レベルをＯＬＴ１４に通知する光レベル通知部とを備える。ＯＬＴ１４は、ＯＮＵと光信号を送受信するＯＬＴ光送受信部３０と、ＯＮＵから通知された送信光レベルおよび受信光レベルを定期的に収集する光レベル監視部３７と、光レベル監視部３７で収集された送信光レベルおよび／または受信光レベルが異常値となった場合に、警報を発出する光レベル判定部３８とを備える。【選択図】図３
2017011379.tif 000002
【特許請求の範囲】
【請求項１】
局側装置と複数の加入者側装置との間で光信号を送受信するＰＯＮシステムであって、
前記加入者側装置は、
前記局側装置と光信号を送受信する加入者側光送受信部と、
前記加入者側光送受信部の送信光レベルおよび受信光レベルを取得する光レベル取得部と、
前記光レベル取得部で取得された送信光レベルおよび受信光レベルを前記局側装置に通知する光レベル通知部と、
を備え、
前記局側装置は、
前記加入者側装置と光信号を送受信する局側光送受信部と、
前記加入者側装置から通知された送信光レベルおよび受信光レベルを定期的に収集する光レベル監視部と、
前記光レベル監視部で収集された前記加入者側光送受信部の送信光レベルおよび／または受信光レベルが異常値となった場合に、警報を発出する光レベル判定部と、
を備えることを特徴とするＰＯＮシステム。
【請求項２】
前記光レベル判定部は、前記加入者側光送受信部の送信光レベルおよび／または受信光レベルが、前記局側装置と前記加入者側装置が接続されたときの初期値に対して第１所定量以上変動した場合に、警報を発出することを特徴とする請求項１に記載のＰＯＮシステム。
【請求項３】
前記光レベル判定部は、前記加入者側光送受信部の送信光レベルおよび／または受信光レベルが、前記光レベル監視部により前回収集された基準値に対して第２所定量以上変動した場合に、警報を発出することを特徴とする請求項１または２に記載のＰＯＮシステム。
【請求項４】
前記光レベル判定部は、前記加入者側光送受信部の送信光レベルおよび／または受信光レベルが異常値となった場合に、当該加入者側光送受信部に対して発光停止指示を出すことを特徴とする請求項１から３のいずれかに記載のＰＯＮシステム。
【請求項５】
前記光レベル判定部は、前記加入者側光送受信部の送信光レベルおよび／または受信光レベルが、前記局側装置と前記加入者側装置が接続されたときの初期値に対して第３所定量以上変動した場合に、当該加入者側光送受信部に対して発光停止指示を出すことを特徴とする請求項４に記載のＰＯＮシステム。
【請求項６】
前記光レベル判定部は、前記加入者側光送受信部の送信光レベルおよび／または受信光レベルが、前記光レベル監視部により前回収集された基準値に対して第４所定量以上変動した場合に、当該加入者側光送受信部に対して発光停止指示を出すことを特徴とする請求項４または５に記載のＰＯＮシステム。
【発明の詳細な説明】
【技術分野】
【０００１】
本発明は、局側装置と複数の加入者側装置との間で通信を行うＰＯＮ（Passive Optical Network）システムに関する。
【背景技術】
【０００２】
従来より、一般家庭等の加入者宅を対象とした加入者系光ファイバネットワークシステムとして、ＰＯＮシステムが知られている。このＰＯＮシステムは、通信事業者局舎に設置される局側装置（ＯＬＴ：Optical Line Terminal）に接続された１本の光ファイバを光スプリッタにより分岐し、複数の加入者側装置（ＯＮＵ：Optical Network Unit）と接続したものである。ＰＯＮシステムは、ＯＬＴとＯＮＵを１対１で接続するシングルスター型のシステムに比べ、複数のＯＮＵで１本の光ファイバを共用するため低コストな光通信ネットワークを構築できる（例えば、特許文献１参照）。
【先行技術文献】
【特許文献】
【０００３】
【特許文献１】特開２００７−１７３９０８号公報
【発明の概要】
【発明が解決しようとする課題】
【０００４】
ＰＯＮシステムでは、光ファイバの経年劣化や異常、ＯＮＵ、ＯＬＴそれぞれの光トランシーバの異常等により、光信号が正常に送受信できなくなる可能性がある。上記各要因により、光信号のレベルが正常な送受信が可能な閾値付近になるとＯＮＵ−ＯＬＴ間の通信が不安定状態になる。このような不安定な通信状態下では、ＯＬＴとＯＮＵの接続／切断の繰り返しが発生する。この意図しない連続的な接続状態の遷移により、ＰＯＮシステム全体の負荷が上がり、同一ＯＬＴ配下の他のＯＮＵに悪影響を与えてしまうおそれがある。
【０００５】
本発明はこうした状況に鑑みてなされたものであり、その目的は、ＰＯＮシステムの負荷増加を防ぎ、ＰＯＮシステムの運用環境を改善することにある。
【課題を解決するための手段】
【０００６】
上記課題を解決するために、本発明のある態様のＰＯＮシステムは、局側装置と複数の加入者側装置との間で光信号を送受信するＰＯＮシステムである。加入者側装置は、局側装置と光信号を送受信する加入者側光送受信部と、加入者側光送受信部の送信光レベルおよび受信光レベルを取得する光レベル取得部と、光レベル取得部で取得された送信光レベルおよび受信光レベルを局側装置に通知する光レベル通知部と、を備える。局側装置は、加入者側装置と光信号を送受信する局側光送受信部と、加入者側装置から通知された送信光レベルおよび受信光レベルを定期的に収集する光レベル監視部と、光レベル監視部で収集された加入者側光送受信部の送信光レベルおよび／または受信光レベルが異常値となった場合に、警報を発出する光レベル判定部と、を備える。
【０００７】
なお、以上の構成要素の任意の組合せ、本発明の表現を装置、方法、システム、プログラム、プログラムを格納した記録媒体などの間で変換したものもまた、本発明の態様として有効である。
【発明の効果】
【０００８】
本発明によれば、ＰＯＮシステムの負荷増加を防ぎ、ＰＯＮシステムの運用環境を改善できる。
【図面の簡単な説明】
【０００９】
【図１】本発明の実施形態に係るＰＯＮシステムを示す図である。
【図２】本発明の実施形態に係るＯＮＵの構成を示す図である。
【図３】本発明の実施形態に係るＯＬＴの構成を示す図である。
【図４】ＯＬＴとＯＮＵの接続から光レベル情報送信の流れを説明するためのシーケンスを示す図である。
【図５】初期値からの変動量を管理する第１管理テーブルの一例を示す図である。
【図６】単位時間の変動量を管理する第２管理テーブルの一例を示す図である。
【図７】２つの管理テーブルを用いることの利点を説明するための図である。
【発明を実施するための形態】
【００１０】
図１は、本発明の実施形態に係るＰＯＮシステム１０を示す図である。図１に示すように、ＰＯＮシステム１０は、局側装置（ＯＬＴ）１４に接続された１本の基幹光ファイバ１１が光スプリッタ１６_１〜１６_３により複数の分岐光ファイバ１３_１〜１３_４に分岐され、該分岐光ファイバ１３_１〜１３_４の端部に複数の加入者側装置（ＯＮＵ）１２_１〜１２_４が接続された構成となっている。
【００１１】
ＰＯＮシステム１０においては、ＯＬＴ１４から各ＯＮＵ１２_１〜１２_４への下り光信号は、時分割多重（ＴＤＭ：Ｔｉｍｅ  Ｄｉｖｉｓｉｏｎ  Ｍｕｌｔｉｐｌｅｘｉｎｇ）により多重化された連続的な光信号である。一方、各ＯＮＵ１２_１〜１２_４からＯＬＴ１４への上り光信号は、ＴＤＭＡ方式により多重化される。ＴＤＭＡでは、各ＯＮＵ１２_１〜１２_４からの光信号が衝突するのを防ぐため、各光信号間にガードタイムと呼ばれる無信号区間が挿入される。そのため、ＯＬＴ１４から各ＯＮＵ１２_１〜１２_４への下り光信号が連続的な光信号となるのと異なり、各ＯＮＵ１２_１〜１２_４からＯＬＴ１４への上り光信号は、信号の送出が間欠的に行われるバースト状の光信号となる。
【００１２】
ＰＯＮシステム１０においては、各ＯＮＵ１２_１〜１２_４からＯＬＴ１４までの距離が異なり、また各上り光信号が通過する光スプリッタの数が異なる。従って、ＰＯＮシステム１０においては、ＯＮＵ１２_１〜１２_４ごとに伝送路損失が異なる。
【００１３】
図２は、本発明の実施形態に係るＯＮＵ１２の構成を示す図である。
【００１４】
図２に示すように、ＯＮＵ１２は、ＯＬＴと光信号を送受信するＯＮＵ光送受信部２１と、フレームの転送処理を行うＯＮＵフレーム転送部２２と、パーソナルコンピュータやセットトップボックスなどのＵＮＩ（Ｕｓｅｒ  Ｎｅｔｗｏｒｋ  Ｉｎｔｅｒｆａｃｅ）から受信した主信号に所定のフレーム処理を施し、ＯＮＵフレーム転送部２２にデータフレームを出力するＯＮＵ主信号処理部２３と、ＯＮＵ情報処理部２４と、ＯＮＵユーザインタフェース（ＩＦ）２６とを備える。
【００１５】
ＯＮＵ情報処理部２４は、光レベル取得部２７と、光レベル通知部２８とを備える。
【００１６】
光レベル取得部２７は、ＯＮＵ光送受信部２１の送信光レベルを定期的に取得する。また、光レベル取得部２７は、ＯＮＵ光送受信部２１の受信光レベルを定期的に取得する。
【００１７】
光レベル通知部２８は、光レベル取得部２７で取得された送信光レベルおよび受信光レベルをＯＬＴ１４に通知する。具体的には、光レベル通知部２８は、送信光レベルおよび受信光レベルの情報をＯＮＵフレーム転送部２２に送る。ＯＮＵフレーム転送部２２は、ＩＥＥＥ８０２．３で規定されたＧＥ−ＰＯＮの制御フレームであるＯＡＭ（Operation,Administration,Maintenance）フレームに送信光レベルおよび受信光レベルの情報を載せ、ＯＮＵ光送受信部２１を介してＯＬＴ１４に送信する。
【００１８】
図３は、本発明の実施形態に係るＯＬＴ１４の構成を示す図である。
【００１９】
図３に示すように、ＯＬＴ１４は、各ＯＮＵと光信号を送受信するＯＬＴ光送受信部３０と、フレームの転送処理を行うＯＬＴフレーム転送部３１と、ＯＬＴフレーム転送部３１から転送されたデータフレームに所定の終端処理を施し、ＣＮＩ（Ｃｏｒｅ  Ｎｅｔｗｏｒｋ  Ｉｎｔｅｒｆａｃｅ）に送出するＯＬＴ主信号処理部３２と、ＯＬＴ情報処理部３３と、ＯＬＴデータ格納部３４と、ＯＬＴユーザインタフェース３５とを備える。ＯＬＴユーザインタフェース３５は、例えばＬＥＤやブザーから構成されてよい。
【００２０】
ＯＬＴ情報処理部３３は、光レベル取得部３６と、光レベル監視部３７と、光レベル判定部３８とを備える。
【００２１】
光レベル取得部３６は、ＯＬＴ主信号処理部３２の送信光レベルを定期的に取得する。また、光レベル取得部３６は、ＯＬＴ主信号処理部３２の受信光レベルを定期的に取得する。
【００２２】
光レベル監視部３７は、ＯＮＵ１２から通知されたＯＮＵ光送受信部２１の送信光レベルおよび受信光レベルを定期的に収集する。ＯＮＵ光送受信部２１の送信光レベルおよび受信光レベルの収集は、ＯＮＵ１２から受信したＯＡＭフレームから当該情報を抽出することによりなされる。
【００２３】
ＯＬＴデータ格納部３４は、光レベル取得部３６で取得されたＯＬＴ主信号処理部３２の送信光レベルおよび受信光レベルと、光レベル監視部３７で収集されたＯＮＵ光送受信部２１の送信光レベルおよび受信光レベルを格納する。ＯＬＴデータ格納部３４には、ＯＬＴ主信号処理部３２の送信光レベルおよび受信光レベルの正常性を管理するためのＯＬＴ管理テーブルを保持している。ＯＬＴ主信号処理部３２の送信光レベルおよび受信光レベルは、該ＯＬＴ管理テーブルを用いて管理される。また、ＯＬＴデータ格納部３４には、ＯＮＵ光送受信部２１の送信光レベルおよび受信光レベルの正常性を管理するためのＯＮＵ管理テーブルを保持している。ＯＮＵ光送受信部２１の送信光レベルおよび受信光レベルは、該ＯＮＵ管理テーブルを用いて管理される。ＯＬＴデータ格納部３４は、ＯＬＴ１４の配下のＯＮＵ１２ごとにＯＮＵ管理テーブルを保持している。
【００２４】
ＯＬＴ情報処理部３３の光レベル判定部３８は、ＯＬＴデータ格納部３４のＯＬＴ管理テーブルを参照し、ＯＬＴ光送受信部３０の送信光レベルおよび受信光レベルが正常か否か判定する。光レベル判定部３８は、ＯＬＴ光送受信部３０の送信光レベルおよび／または受信光レベルが異常値となった場合、ＯＬＴユーザインタフェース３５を制御して警報を発出させ、異常をＯＬＴ１４の保守者に通知する。ＯＬＴユーザインタフェース３５は、例えばＬＥＤやブザーから構成されてよい。また、光レベル判定部３８は、ＯＬＴ光送受信部３０の送信光レベルが異常値となった場合、ＯＬＴ光送受信部３０を制御し、発光を停止させる。
【００２５】
光レベル判定部３８は、さらに、ＯＬＴデータ格納部３４のＯＬＴ管理テーブルを参照し、ＯＬＴ１４の配下のＯＮＵ１２ごとに、ＯＮＵ主信号処理部２３の送信光レベルおよび受信光レベルが正常か否か判定する。光レベル判定部３８は、ＯＮＵ主信号処理部２３の送信光レベルおよび／または受信光レベルが異常値となった場合、ＯＬＴユーザインタフェース３５を制御して警報を発出させ、異常をＯＬＴ１４の保守者に通知する。光レベル判定部３８は、ＯＡＭフレームを用いて、異常の発生を該当のＯＮＵ１２に通知してもよい。また、光レベル判定部３８は、ＯＮＵ主信号処理部２３の送信光レベルが異常値となった場合、ＯＡＭフレームを用いて該当のＯＮＵ１２に対して発光停止指示を出す。発光停止指示を受けたＯＮＵ１２のＯＮＵ光送受信部２１は、発光を停止する。
【００２６】
以上、本実施形態に係るＯＬＴ１４の構成を説明した。なお当然ながら、ＯＬＴ１４は、上述した構成要素の他に、各ＯＮＵ１２の光信号の送信順序および各ＯＮＵに割り当てる信号帯域が制御する動的帯域割当機能（ＤＢＡ（Dynamic Bandwidth Allocation）を実現するための構成要素を備える。
【００２７】
図４は、ＯＬＴ１４とＯＮＵ１２の接続から光レベル情報送信の流れを説明するためのシーケンスを示す。
【００２８】
ＯＬＴ１４とＯＮＵ１２とが光ファイバで接続されると、ＭＰＣＰ（Multi-Point Control Protocol）  ｄｉｓｃｏｖｅｒｙシーケンスにて、ＭＰＣＰフレームでロジカルリンクが確立される。ＭＰＣＰ  ｄｉｓｃｏｖｅｒｙシーケンスにおいて、ＯＬＴ１４はまず、「Ｄｉｓｃｏｖｅｒｙ  Ｇａｔｅフレーム」をブロードキャスト送信し、未登録のＯＮＵ１２に対して送信タイミングを通知する。Ｄｉｓｃｏｖｅｒｙ  Ｇａｔｅフレームを受信した未登録のＯＮＵ１２は、登録要求フレームとして「Ｒｅｇｉｓｔｅｒ  Ｒｅｑｕｅｓｔフレーム」をＯＬＴ１４に送信する。ＯＬＴ１４は、Ｒｅｇｉｓｔｅｒ  Ｒｅｑｕｅｓｔフレームを受信した場合、該Ｒｅｇｉｓｔｅｒ  Ｒｅｑｕｅｓｔフレームを送信したＯＮＵ１２に「Ｒｅｇｉｓｔｅｒフレーム」を送信し、払い出しＬＬＩＤ（Logical Link Identifier）を通知する。これに対し、ＯＮＵ１２が「Ｒｅｇｉｓｔｅｒ  ＡＣＫフレーム」を送信し、登録の受信応答をすることで、ＭＰＣＰ  ｄｉｓｃｏｖｅｒｙシーケンスが完了し、ＯＬＴ１４とＯＮＵ１２の間でロジカルリンクが確立され、通信が可能となる。
【００２９】
ロジカルリンクが確立されると、ＯＬＴ１４とＯＮＵ１２は通常動作状態となる。ロジカルリンク確立後、ＭＰＣＰフレームとＯＡＭフレームにより、定期的にＯＬＴ１４とＯＮＵ１２との間で情報交換が行われる。上述したように、ＯＮＵ１２は、ＯＡＭフレームに送信光レベルおよび受信光レベル（以下、適宜「送受信光レベル」と呼ぶ）の情報を載せ、ＯＬＴ１４に送信する。ＯＬＴ１４は、ロジカルリンク確立後に最初にＯＮＵ１２から受け取った送受信光レベルを初期値としてＯＬＴデータ格納部３４（図３参照）に保存する。ＯＬＴ１４の光レベル判定部３８は、それ以降にＯＮＵ１２から受け取った送受信光レベルと初期値とを比較し、送受信光レベルの初期値からの変動量に基づいてＯＮＵ１２の動作が正常か否か判定する。
【００３０】
図５は、初期値からの変動量を管理する第１管理テーブルの一例を示す。この第１管理テーブルは、ＯＬＴ１４のＯＬＴデータ格納部３４に格納されており、光レベル判定部３８は、第１管理テーブルを参照してＯＮＵ１２の送受信光レベルが正常か否か判定する。具体的には、光レベル判定部３８は、送受信光レベルの初期値に対する変動量が−１ｄＢｍ以上であれば、ＯＮＵ１２の送受信光レベルが正常であると判定し、監視結果を「ＯＫ」とする。一方、光レベル判定部３８は、送受信光レベルの初期値に対して２ｄＢ以上変動した場合、監視結果を「警報」とし、警報を発出する。さらに、光レベル判定部３８は、送受信光レベルの初期値に対して３ｄＢ以上変動した場合、監視結果を「ＮＧ」とし、ＯＮＵ１２に対して発光停止指示を出す。
【００３１】
さらに、本実施形態においては、光レベル判定部３８は、ＯＮＵ１２から受信した最新の送受信光レベルを、１回前に受信した送受信光レベル（基準値）とを比較し、単位時間の変動量に基づいてＯＮＵ１２の動作が正常か否か判定する。
【００３２】
図６は、単位時間の変動量を管理する第２管理テーブルの一例を示す。この第２管理テーブルは、ＯＬＴ１４のＯＬＴデータ格納部３４に格納されており、光レベル判定部３８は、第１管理テーブルに加えて代えて、第２管理テーブルを参照してＯＮＵ１２の送受信光レベルが正常か否か判定する。具体的には、光レベル判定部３８は、送受信光レベルが前回収集された基準値に対して±１ｄＢ以内の変動の場合、ＯＮＵ１２の送受信光レベルが正常であると判定し、監視結果を「ＯＫ」とする。一方、光レベル判定部３８は、送受信光レベルが前回収集された基準値に対して±２ｄＢ以上変動した場合、監視結果を「警報」として、警報を発出する。さらに、光レベル判定部３８は、送受信光レベルが前回収集された基準値に対して±３ｄＢ以上変動した場合、監視結果を「ＮＧ」とし、ＯＮＵ１２に対して発光停止指示を出す。
【００３３】
本実施形態に係るＰＯＮシステム１０においては、このように、ＯＮＵ１２の送受信光レベルをＯＬＴ１４が監視している。そして、ＯＮＵ１２の送受信光レベルが異常値となった場合、ＯＬＴ１４は警報を発出する。これにより、ＰＯＮシステム１０の保守者は、ＯＮＵ１２の異常を認識し、ＰＯＮシステム１０全体に影響を与える前に、異常となっているＯＮＵ１２とのリンクを切断する等の必要な対策をとることができる。その結果、ＰＯＮシステム１０の負荷増加を防ぎ、ＰＯＮシステムの運用環境を改善できる。
【００３４】
また、本実施形態に係るＰＯＮシステム１０においては、ＯＮＵ１２の送受信光レベルが異常値となった場合、ＯＮＵ１２の発光を停止させることにより、自動的にＰＯＮシステム１０の負荷増加を防ぎ、ＰＯＮシステムの運用環境を改善することができる。
【００３５】
上述の実施形態では、ＯＮＵ１２の送受信光レベルに関して、図５および図６に示すような管理テーブルを用いて管理することを説明したが、ＯＬＴ１４自身の送受信光レベルに関しても同様の管理テーブルを用いて管理してよい。
【００３６】
本実施形態に係るＰＯＮシステム１０において、ＯＬＴ１４の光レベル判定部３８は、ＯＮＵ１２の送受信光レベルが異常値となった場合、ＯＮＵ１２に通知してＯＮＵユーザインタフェース２６を作動させてもよい。これにより、ＯＮＵ１２の使用者にＯＮＵ１２の異常を知らせることができる。
【００３７】
本実施形態に係るＰＯＮシステム１０において、ＯＬＴ情報処理部３３は、ＯＬＴ光送受信部３０の送信光レベルからＯＮＵ光送受信部２１の受信光レベルを引くことにより、ＯＬＴ１４からＯＮＵ１２へ向かう方向の伝送路損失を得ることができる。また、ＯＬＴ情報処理部３３は、ＯＮＵ光送受信部２１の送信光レベルからＯＬＴ光送受信部３０の受信光レベルを引くことにより、ＯＮＵ１２からＯＬＴ１４へ向かう方向の伝送路損失を得ることができる。これらの伝送路損失が予め設定した値以下となった場合に警報を発出することにより、ＰＯＮシステム１０の保守者は、伝送路を検査・修理する等の適切な処置を施すことができる。
【００３８】
本実施形態に係るＰＯＮシステム１０では、上述したように、第１管理テーブルを用いて送受信光レベルの初期値からの変動量を管理するとともに、第２管理テーブルを用いて送受信光レベルの単位時間の変動量を管理している。図７は、このように２つの管理テーブルを用いることの利点を説明するための図である。
【００３９】
図７に示すように、ＯＮＵ１２の受信光レベルが測定されたとする。この場合、図７のＡ部分では、初期値（＋３ｄＢ）から２ｄＢ以上変動しているため、第１管理テーブルでは監視結果は「警報」である。また、このＡ部分では、前回測定値から２ｄＢ以上変動しているため、第２管理テーブルでも監視結果は「警報」である。この場合は、第１管理テーブルと第２管理テーブルとで監視結果に差はない。
【００４０】
図７のＢ部分では、初期値（＋３ｄＢ）から３ｄＢ以上変動しているため、第１管理テーブルでは監視結果は「ＮＧ」である。一方、このＢ部分では、前回測定値から２ｄＢ以上変動しているため、第２管理テーブルでは監視結果は「警報」である。この場合は、第１管理テーブルと第２管理テーブルとで監視結果に差が生じている。
【００４１】
図７のＣ部分では、初期値（＋３ｄＢ）からの変動量は１ｄＢであるため、第１管理テーブルでは監視結果は「ＯＫ」である。一方、このＣ部分では、前回測定値から３ｄＢ以上変動しているため、第２管理テーブルでは監視結果は「ＮＧ」である。この場合も第１管理テーブルと第２管理テーブルとで監視結果に差が生じている。
【００４２】
このように、第１管理テーブルと第２管理テーブルを用いることにより、一方の管理テーブルだけでは検出できないＯＮＵの送受信光レベルの異常を検出することができる。例えば、図７のＣ部分では、第１管理テーブルを用いているだけでは、ＯＮＵ１２の送受信光レベルが前回測定値から大きく変動しており、ＯＮＵ１２に異常が生じている可能性があることを検出できない。本実施形態に係るＰＯＮシステム１０では、異なる２つの管理テーブルを用いることにより、より高い精度でＯＮＵ１２の異常を検出できる。
【００４３】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【符号の説明】
【００４４】
１０  ＰＯＮシステム、  １２  ＯＮＵ、  １４  ＯＬＴ、  ２１  ＯＮＵ光送受信部、  ２２  ＯＮＵフレーム転送部、  ２３  ＯＮＵ主信号処理部、  ２４  ＯＮＵ情報処理部、  ２６  ＯＮＵユーザインタフェース、  ２７  光レベル取得部、  ２８  光レベル通知部、  ２９  光レベル判定部、  ３０  ＯＬＴ光送受信部、  ３１  ＯＬＴフレーム転送部、  ３２  ＯＬＴ主信号処理部、  ３３  ＯＬＴ情報処理部、  ３４  ＯＬＴデータ格納部、  ３５  ＯＬＴユーザインタフェース、  ３６  光レベル取得部、  ３７  光レベル監視部、  ３８  光レベル判定部。
【図１】
2017011379.tif 000003
【図２】
2017011379.tif 000004
【図３】
2017011379.tif 000005
【図４】
2017011379.tif 000006
【図５】
2017011379.tif 000007
【図６】
2017011379.tif 000008
【図７】
2017011379.tif 000009